(57)【要約】【課題】  スリープ状態に移行する前に発生した画像形成装置に関わる異常情報であって、スリープ復帰時の選択されない機能に対応した異常の情報を初期化することなく表示する。【解決手段】    電源手段による電力の供給状態を第１の電力状態よりも低い第２の電力状態に遷移可能な画像形成装置において、第１の電力状態よりも低い第２の電力状態に遷移する際に、前記検知手段が検知した異常情報を記憶手段に記憶させておく。そして、第２の電力状態から第１の電力状態に復帰する要求を受け付けた場合、復帰する要求を受け付けた場合、前記記憶手段に記憶された異常情報で特定される異常を検知した駆動部を使用するかどうかを判断する。ここで、異常を検知した駆動部を使用しないと判断した場合、電源手段より使用しない駆動部に対応づけられた検知手段に電源を供給することにより当該駆動部で検知される異常情報を表示する。【選択図】  図３
2015152844.tif 000002
【特許請求の範囲】
【請求項１】
電源手段による電力の供給状態を第１の電力状態よりも低い第２の電力状態に遷移可能な画像形成装置であって、
画像形成装置が備える複数の駆動部で発生する特定の異常を検知する検知手段と、
前記第１の電力状態よりも低い第２の電力状態に遷移する際に、前記検知手段が検知した異常情報を記憶する記憶手段と、
前記第２の電力状態から第１の電力状態に復帰する要求を受け付ける受付手段と、
前記受付手段が復帰する要求を受け付けた場合、前記記憶手段に記憶された異常情報で特定される異常を検知した駆動部を使用するかどうかを判断する判断手段と、
前記判断手段が異常を検知した駆動部を使用しないと判断した場合、前記電源手段より使用しない駆動部に対応づけられた検知手段に電源を供給することにより当該駆動部で検知される異常情報を表示する表示制御手段と、
を備えることを特徴とする画像形成装置。
【請求項２】
電源手段による電力の供給状態を第１の電力状態よりも低い第２の電力状態に遷移可能な画像形成装置であって、
画像形成手段または画像読取手段による動作で発生する特定の異常を検知する検知手段と、
前記第１の電力状態よりも低い第２の電力状態に遷移する際に、前記検知手段が検知した異常情報を記憶する記憶手段と、
前記第２の電力状態から第１の電力状態に復帰する要求を受け付ける受付手段と、
前記受付手段が復帰する要求を受け付けた場合、前記記憶手段に記憶された異常情報で特定される異常を検知した前記画像形成手段を使用するかどうかを判断する判断手段と、
前記判断手段が前記画像形成手段を使用しないと判断した場合、前記電源手段より前記検知手段に電源を供給することにより前記画像形成手段で検知される異常情報を表示する表示制御手段と、
を備えることを特徴とする画像形成装置。
【請求項３】
電源手段による電力の供給状態を第１の電力状態よりも低い第２の電力状態に遷移可能な画像形成装置であって、
画像形成手段または画像読取手段による動作で発生する特定の異常を検知する検知手段と、
前記第１の電力状態よりも低い第２の電力状態に遷移する際に、前記検知手段が検知した異常情報を記憶する記憶手段と、
前記第２の電力状態から第１の電力状態に復帰する要求を受け付ける受付手段と、
前記受付手段が復帰する要求を受け付けた場合、前記記憶手段に記憶された異常情報で特定される異常を検知した前記画像読取手段を使用するかどうかを判断する判断手段と、
前記判断手段が前記画像読取手段を使用しないと判断した場合、前記電源手段より前記検知手段に電源を供給することにより前記画像読取手段で検知される異常情報を表示する表示制御手段と、
を備えることを特徴とする画像形成装置。
【請求項４】
電源手段による電力の供給状態を第１の電力状態よりも低い第２の電力状態に遷移可能な画像形成装置であって、
画像形成手段または画像読取手段による動作で発生する特定の異常を検知する検知手段と、
前記第１の電力状態よりも低い第２の電力状態に遷移する際に、前記検知手段が検知した異常情報を記憶する記憶手段と、
前記第２の電力状態から第１の電力状態に復帰する要求を受け付ける受付手段と、
前記受付手段が復帰する要求を受け付けた場合、前記記憶手段に記憶された異常情報で特定される異常を検知した前記画像形成手段を使用するかどうかを判断する判断手段と、
前記判断手段が前記画像形成手段を使用しないと判断した場合、前記電源手段より前記画像形成手段に電源を供給して前記画像形成手段を初期化する初期化手段と、
前記初期化手段が初期化を実行する際に、前記検知手段が検知する異常情報を表示する表示制御手段と、
を備えることを特徴とする画像形成装置。
【請求項５】
前記検知手段は、シートジャムを検知することを特徴とする請求項１乃至４のいずれか１項に記載の画像形成装置。
【請求項６】
前記検知手段は、前記画像形成装置で使用される現像剤のエラーを検知することを特徴とする請求項１乃至４のいずれか１項に記載の画像形成装置。
【請求項７】
電源手段による電力の供給状態を第１の電力状態よりも低い第２の電力状態に遷移可能な画像形成装置の制御方法であって、
画像形成装置が備える複数の駆動部で発生する特定の異常を検知手段で検知する検知工程と、
前記第１の電力状態よりも低い第２の電力状態に遷移する際に、前記検知工程で検知した異常情報を記憶手段に記憶する記憶工程と、
前記第２の電力状態から第１の電力状態に復帰する要求を受け付ける受付工程と、
前記受付工程で復帰する要求を受け付けた場合、前記記憶手段に記憶された異常情報で特定される異常を検知した駆動部を使用するかどうかを判断する判断工程と、
前記判断工程が前記駆動部を使用しないと判断した場合、前記電源手段より使用しない駆動部に対応づけられた検知手段に電源を供給することにより当該駆動部で検知される異常情報を表示する表示制御工程と、
を備えることを特徴とする画像形成装置の制御方法。
【請求項８】
請求項１乃至５のいずれか１項に記載の手段としてコンピュータを機能させることを特徴とするプログラム。
【発明の詳細な説明】
【技術分野】
【０００１】
本発明は、画像形成装置、画像形成装置の制御方法、及びプログラムに関するものである。
【背景技術】
【０００２】
近年、環境意識が高まる中、複写機等の画像形成装置において、装置が所定時間使用されなかった場合や、ユーザが低消費電力状態（スリープモード）へ移行を指示した場合などに、装置をスリープモードに移行し、省電力化を図ることが行われている。このスリープモードでは、例えば、プリンタ部やスキャナ部などへの電源供給を停止することで、ユーザの利便性をできる限り損なわない範囲で省電力を実現している。
【０００３】
さらに、エラー発生時にも装置各部を制御するメインＣＰＵとは別に、該メインＣＰＵより性能の低いサブＣＰＵを搭載し、前記メインＣＰＵへの電源供給を遮断すると共に、サブＣＰＵのみ動作させることでスリープモードに移行し、省電力を実現する技術が提案されている（特許文献１参照）。
【０００４】
また一方で、画像形成装置がスリープモードから復帰する際に、復帰要因の動作要求内容に応じて、装置の一部だけが初期化される技術が提案されている（特許文献２参照）。例えば、スリープモードにおいて、プリント要求を受け付けた場合は、プリンタ部は初期化されるが、スキャナ部は初期化されない。つまり、プリント要求を受け付けた場合には、プリンタ部は電力が供給され、スキャナ部には電力が供給されない。このように、特許文献２に記載の技術では、スリープモードにおいて何らかの要求があった場合に、その要求に応じるために最低限必要な部分のみ電力を供給することにより、省電力、騒音の防止及び機器の長寿命化などを実現している。
【先行技術文献】
【特許文献】
【０００５】
【特許文献１】特開２００８−１２２９１７号公報
【特許文献２】特開２００３−２４１５８２号公報
【発明の概要】
【発明が解決しようとする課題】
【０００６】
しかし、上述した従来技術では、紙ジャム等のエラー状態でスリープモードに移行し、その後復帰要求を受けた場合に、その要求が紙ジャムを起こした部分を動作させる必要のない要求であった場合に初期化が実行されない。そのため、紙ジャム発生部分への電力供給が行われず、スリープ復帰後すぐに紙ジャム等のエラーを操作者に対し報知することができないという課題がある。
【０００７】
また近年、スリープモードからの復帰をより簡易にするために、人体センサを備え、操作者が装置に近づいただけでスリープモードから復帰する画像形成装置が登場している。このような装置においても、できる限り消費電力の削減を図るために、人体センサ要因によって復帰した場合は、プリンタ部やスキャナ部には電力を供給しない場合が多い。そのため、操作者はスリープモードから復帰しただけでは紙ジャムが発生していることに気づかず、その後、コピー機能などのエラー発生部を使用するジョブを実行してはじめてエラーが発生していることがわかるため、前述の課題がより顕在化している。
本発明は、上記の課題を解決するためになされたもので、本発明の目的は、スリープ状態に移行する前に発生した画像形成装置に関わる異常情報であって、スリープ復帰時の選択されない機能に対応した異常の情報を初期化することなく表示できる仕組みを提供することである。
【課題を解決するための手段】
【０００８】
上記目的を達成する本発明の画像形成装置は以下に示す構成を備える。
電源手段による電力の供給状態を第１の電力状態よりも低い第２の電力状態に遷移可能な画像形成装置であって、画像形成装置が備える複数の駆動部で発生する特定の異常を検知する検知手段と、前記第１の電力状態よりも低い第２の電力状態に遷移する際に、前記検知手段が検知した異常情報を記憶する記憶手段と、前記第２の電力状態から第１の電力状態に復帰する要求を受け付ける受付手段と、前記受付手段が復帰する要求を受け付けた場合、前記記憶手段に記憶された異常情報で特定される異常を検知した駆動部を使用するかどうかを判断する判断手段と、前記判断手段が前記駆動部を使用しないと判断した場合、前記電源手段より使用しない駆動部に対応づけられた検知手段に電源を供給することにより当該駆動部で検知される異常情報を表示する表示制御手段と、を備えることを特徴とする。
【発明の効果】
【０００９】
本発明によれば、スリープ状態に移行する前に発生した画像形成装置に関わる異常情報であって、スリープ復帰時の選択されない機能に対応した異常の情報を初期化することなく表示できる。
【図面の簡単な説明】
【００１０】
【図１】画像形成装置の構成を説明する断面図である。
【図２】画像形成装置における電源供給系統を説明するブロック図である。
【図３】画像形成装置の制御方法を説明するフローチャートである。
【図４】画像形成装置で表示されるＵＩ画面の一例を示す図である。
【図５】画像形成装置の制御方法を説明するフローチャートである。
【図６】画像形成装置における電源供給系統を説明するブロック図である。
【図７】スリープ復帰の要因毎の電源供給状態を示す図である。
【図８】画像形成装置における電源供給系統を説明するブロック図である。
【図９】画像形成装置における電源供給系統を説明するブロック図である。
【図１０】画像形成装置における電源供給系統を説明するブロック図である。
【図１１】画像形成装置における電源供給系統を説明するブロック図である。
【図１２】画像形成装置の制御方法を説明するフローチャートである。
【図１３】画像形成装置の制御方法を説明するフローチャートである。
【図１４】画像形成装置の制御方法を説明するフローチャートである。
【図１５】画像形成装置における電源供給系統を説明するブロック図である。
【図１６】画像形成装置における電源供給系統を説明するブロック図である。
【図１７】画像形成装置における電源供給系統を説明するブロック図である。
【発明を実施するための形態】
【００１１】
次に本発明を実施するための最良の形態について図面を参照して説明する。ただし、この実施の形態に記載されている構成要素はあくまで例示であり、この発明の範囲をそれらのみに限定する趣旨のものではない。
＜システム構成の説明＞
〔第１実施形態〕
【００１２】
図１は、本実施形態を示す画像形成装置１の構成を説明する断面図である。本例に示す画像形成装置１は、画像入力デバイスであるスキャナ部１０、画像出力デバイスであるプリンタ部２０を備えている。本実施形態に示す画像形成装置は、詳細は後述するが電源手段による電力の供給状態を第１の電力状態よりも低い第２の電力状態（スリープ状態）に遷移可能とする電源制御を実現可能に構成されている。
【００１３】
図１において、スキャナ部１０は、原稿台１０１、自動原稿給紙装置１０２を備えている。なお、この自動原稿給紙装置１０２の代わりに、鏡面圧板もしくは白色圧板（図示せず）を装着する構成でもよい。１０３および１０４は原稿を照明する光源であり、ハロゲンランプ、蛍光灯、キセノン管ランプなどの類の光源を使用する。
【００１４】
１０５および１０６は光源１０３および１０４の光を原稿に集光する反射傘である。１０７〜１０９はミラー、１１０は原稿からの反射光または投影光をＣＣＤ（電荷結合素子）イメージセンサ（以下、ＣＣＤということにする）１１１上に集光するレンズである。
【００１５】
１１２はＣＣＤ１１１が実装されている基板、１１３はリーダスキャナ制御部である。１１４は、光源１０３および１０４と反射傘１０５および１０６と、ミラー１０７を収容するキャリッジである。１１５は、ミラー１０８および１０９を収容するキャリッジである。なお、キャリッジ１１４および１１５はＣＣＤ１１１の電気的走査方向（主走査方向Ｘ）に対して直交する副走査方向Ｙに機械的に移動することによって、原稿の全面を走査する。
次に、プリンタ部２０の構成を説明する。
【００１６】
プリンタ部２０において、２０１はレーザスキャナで、画像データ信号に対応するレーザ光を、ポリゴンミラーで主走査方向に走査して感光ドラム２０２に照射する。感光ドラム２０２上に形成された静電潜像は、感光ドラム２０２の反時計方向への回転により、色現像器２０３や黒現像器２０４のスリーブ位置に達する。色現像器２０３および黒現像器２０４からは、感光ドラム２０２上の電荷に応じた量のトナーが供給され、感光ドラム２０２上の静電潜像が現像される。
【００１７】
なお、黒単色画像を現像する際には黒現像器２０４のみが使用され、画像形成速度を増加するように切り替え、各モータ類、各バイアス値もそれに応じて切り替える。フルカラー画像を現像する際には色現像器２０３および黒現像器２０４の両方が使用され、標準の画像形成速度で動作する。
【００１８】
感光ドラム２０２上に形成されたトナー像は、感光ドラム２０２の反時計方向への回転により、時計方向に回転する中間転写体２０５に転写される。中間転写体２０５への転写は、黒単色画像の場合には中間転写体２０５の１回転で、フルカラー画像の場合は同４回転で完了する。
【００１９】
一方、上段カセット２０８または下段カセット２０９からピックアップローラ２１１または２１２によりピックアップされ、給紙ローラ２１３または２１４により搬送される記録紙は、搬送ローラ２１５によりレジストローラ２１９まで搬送される。そして、中間転写体２０５への転写が終了するタイミングで、中間転写体２０５と転写ベルト２０６の間に記録紙が搬送される。
【００２０】
その後、記録紙は、転写ベルト２０６により搬送されるとともに中間転写体２０５に圧着され，中間転写体２０５上のトナー像が記録紙に転写される。記録紙に転写されたトナー像は、定着ローラおよび加圧ローラ２０７により加熱および加圧され記録紙に定着される。画像が定着された記録紙は、フェイスアップ排紙口２１７に排出される。
【００２１】
なお、記録紙に転写されずに残る中間転写体２０５上の残トナーは、画像形成シーケンス後半の後処理制御でクリーニングされる。後処理制御では、記録紙に転写終了後の中間転写体２０５上の残トナーは廃トナーとして、クリーニングＲによりもともとのトナー極性の逆極性に帯電され、逆極性の残トナーは感光ドラム２０２に再度転写される。
【００２２】
感光ドラムユニット内では、逆極性残トナーがブレード（図示しない）によりドラム表面から掻き取られ、感光ドラムユニット内に一体化されている廃トナーボックスまで搬送される。こうして、中間転写体２０５上の残トナーが完全にクリーニングされて後処理制御は終了する。なお、ここで説明した画像形成動作は、後述するメイン制御部や、画像処理部等を備えているコントローラによって行われる。
【００２３】
図２は、本実施形態を示す画像形成装置における電源供給系統を説明するブロック図である。本実施形態では、画像形成装置の各機能処理部に電源の供給制御を行う電源供給部６０を備えている。
【００２４】
図２の画像形成装置１は大きく、画像処理及び画像形成動作の制御などを行うコントローラ３０、画像形成装置１とユーザ間での情報の入出力を行う操作部４０、図１にて動作を説明した画像入力デバイスであるスキャナ部１０、画像出力デバイスであるプリンタ部２０からなる。
【００２５】
図２において、メイン制御部３１は、装置全体の動作制御を司る。このメイン制御部３１は、図略のＣＰＵ（中央演算ユニット）に、そのＣＰＵの動作を規定するプログラムを格納するＲＯＭ（Ｒｅａｄ  Ｏｎｌｙ  Ｍｅｍｏｒｙ）や演算に用いるデータを一時的に格納する為のワークメモリや作業領域としての機能を有するＲＡＭ（Ｒａｎｄｏｍ  Ａｃｃｅｓｓ  Ｍｅｍｏｒｙ）などの周辺装置を有して構成されている。
【００２６】
次に、サブ制御部３２は、図略のＣＰＵに、そのＣＰＵの動作を規定するプログラムを格納するＲＯＭやデータを一時的に保管するＲＡＭ等の記憶部を有して構成されている。サブ制御部３２は、メイン制御部３１に比して回路規模が小さく、メイン制御部３１との間で通信可能に構成されている。サブ制御部３２は、主に、後述するスリープモードに設定されているときに必要な処理を実行するものである。
【００２７】
画像処理部３３は、操作部４０からの指示によりスキャナ部１０によって読み取られたアナログ画像をデジタル画像に変換し、画像処理や圧縮などを施す。また、画像処理部３３は、ローカルエリアネットワーク上のコンピュータ端末５０から、ネットワークＩ／Ｆ３４を介して受信したプリントアウト対象のファイルデータ（圧縮画像）が記憶部３５に書き込まれると、当該圧縮されたファイルデータを伸張処理し、出力状態に応じた画像処理を施し、例えばレーザ露光の場合には、レーザ信号にアナログ変調する。このアナログ変調された信号に基づいてプリンタ部２０でプリントアウトが行われる。
【００２８】
次に、電源制御部３６は、メイン制御部３１またはサブ制御部３２の制御に基づいて電源制御部３６を制御するオン／オフ制御信号を送信し、スタンバイモードやスリープモード等の電力状態の切り替えを行っている。
【００２９】
次に、スキャナ制御部１１は、コントローラからの指示を受け、図１で説明した画像読取部１２の動作に必要な各部の動作制御を行い、同様にプリンタ制御部２１は画像形成部２２の動作に必要な各部の動作制御を行うものである。
【００３０】
次に、スキャナ紙ジャムセンサ部１３及びプリンタ紙ジャムセンサ部２３は、前記自動原稿給紙装置１０２や各搬送路等における原稿搬送路上での紙ジャムを検知するように適所にそれぞれ設置された複数のジャムセンサからなるものである。画像形成装置１においては、前記各搬送路上を用紙が搬送されて該用紙に画像を形成する処理がなされたり、画像形成後の用紙に対して後処理がなされたりする際に、搬送される用紙がそれらの搬送路上でジャムを起こすことがあり、前記各ジャムセンサは、これらのジャムを検出する。
【００３１】
原稿検知部１４は、サブ制御部３２によって制御されており、圧板の開閉や原稿がセットされたことを検知すると、サブ制御部３２は直ちに電源制御部３６を制御してメイン制御部３１を起動し、スタンバイモードに切り替える。また、紙なしセンサ部２４は、上段カセット２０８及び下段カセット２０９に設置され、カセットに用紙があるか否かを検知する。トナー切れセンサ部２５は、色現像器２０３や黒現像器２０４に設置され、現像容器内にある現像剤の量を検出し、トナー切れを検知する。
【００３２】
ＵＩ制御部４１は操作者から各種の操作指示やメイン制御部３１からの指示を受けて、操作部４０の制御を行う。キー部４２は、装置を省電力ボードに移行するための節電キーや操作者によって印刷実行指示が入力されるスタートキー、印刷部数等を入力するためのテンキー等からなる。表示部４３は、各種複写動作の操作ガイド情報等を表示し、各種設定入力用にタッチパネル機能を有する液晶ディスプレイ等からなる。次に、人体検知部４４は、赤外線センサや反射センサ等の人体を検出するセンサで、画像形成装置１が省電力状態であった場合に、操作者が装置に近づいたことを検知し、スリープモードから復帰するための信号を出力する。
【００３３】
最後に電源供給部６０は商用電源からＤＣ５Ｖ／ＤＣ１２Ｖ／ＤＣ２４Ｖを生成し、コントローラ３０にはＤＣ５ＶとＤＣ１２Ｖ、スキャナ部１０とプリンタ部２０にはＤＣ１２Ｖ／ＤＣ２４Ｖを供給している。
また、操作部４０の電源はコントローラ３０を経由してコントローラと同じＤＣ５ＶとＤＣ１２Ｖの供給を受けている。
【００３４】
次に、各電源の用途について説明する。ＤＣ５Ｖはスリープモードの際にも常時供給が継続される電源で、スリープモード移行後に装置の制御を行うサブ制御部３２やスリープモードから復帰要求を受けるためのネットワークＩ／Ｆ３４やキー部４２、人体検知部４４などに供給されている。次にＤＣ１２ＶとＤＣ２４Ｖはスリープモード時には供給が停止される電源で、画像読取部１２や画像形成部２２などのモータ等の駆動系を動作させる電源にはＤＣ２４Ｖが供給され、それ以外の制御部やセンサ部にはＤＣ１２Ｖが供給されている。なお、スキャナ部１０の原稿検知部１４についてはコントローラ３０からＤＣ５Ｖの供給を受けているため、スリープモード時にも動作可能となっている。
次に、第１実施形態における画像形成装置１の制御動作を、図３のフローチャートを参照しつつ説明する。
【００３５】
図３は、本実施形態を示す画像形成装置の制御方法を説明するフローチャートである。本例は、画像形成部２２においてジャムが発生した場合における電源供給の制御例である。なお、各ステップは、制御プログラムを実行することで実現される。なお、本実施形態に示す画像形成装置のスキャナ部１０やプリンタ部２０には、シートジャム（原稿あるいは印刷すべきシート）を検知するためにセンサが所定の搬送路上に複数設けられている。また、図１に示す黒現像器２０４や色現像器２０４には、各色の現像剤の残量を検知するセンサを備えている。これにより、受付けたジョブに対応してプリンタ部２０やスキャナ部１０の回転駆動系が動作することで発生し得る特定の異常を検知しているかどうかをメインン制御部３１が判断することが可能に構成されている。
【００３６】
画像形成装置１が画像形成部２２において画像形成動作を実行中にジャムが発生すると、プリンタ紙ジャムセンサ部２３がジャムを検知し、プリンタ制御部２１を介してメイン制御部３１に紙ジャム発生信号と紙ジャム位置を送信する。メイン制御部３１は、前記紙ジャム発生信号を受けると、図４に示すように表示部４３にジャムが発生した旨を警告するＵＩ画面を表示すると共に、画像形成動作を停止する（Ｓ１０１）。
【００３７】
その後、画像形成装置１はジャムの状態のまま所定時間放置されたりユーザのキー部４２押下によりスリープ移行要求を受けたりすると（Ｓ１０２）、メイン制御部３１は前記プリンタ紙ジャムセンサ部２３及びスキャナ紙ジャムセンサ部１３で取得した紙ジャム情報に基づき現在の画像形成装置１における紙ジャム状態情報を作成してサブ制御部３２に送信し、サブ制御部３２の記憶部（不図示）に該紙ジャム状態情報（異常情報）を記憶する（Ｓ１０３）。また、メイン制御部３１はジャムによってジョブが中断状態になっていた場合は、該ジョブ情報を記憶部３５に記憶する。メイン制御部３１は前記紙ジャム状態情報をサブ制御部３２に送信後、電源制御部３６を制御し、ＤＣ１２ＶとＤＣ２４Ｖの出力を停止し、スリープモードへ移行する（Ｓ１０４）。
一方、Ｓ１０２において、所定時間以内にジャムが取り除かれた場合は、画像形成装置１はスリープモードには移行せず、中断していたジョブを再開する。
なお、ジャムが発生していない正常状態のフローを図５に図示する。
【００３８】
図５は、本実施形態を示す画像形成装置の制御方法を説明するフローチャートである。本例は、画像形成部２２においてジャムが発生した場合における電源供給の制御例である。なお、各ステップは、制御プログラムを実行することで実現される。
【００３９】
Ｓ２０１で所定時間が経過したり、キー部４２の押下によってスリープモード移行要求信号を受けた場合も、紙ジャムなしという紙ジャム状態情報をサブ制御部３２の記憶部に記憶し（Ｓ２０２）、スリープモードへ移行する（Ｓ２０３）。
ここで、スリープモードに移行した際の画像形成装置１のモジュール毎の電源ＯＮ／ＯＦＦの状態を図６に示す。
【００４０】
図６は、本実施形態を示す画像形成装置における電源供給系統を説明するブロック図である。前述したように、画像形成装置１はスリープモードに移行すると、ＤＣ５Ｖ以外のＤＣ１２ＶとＤＣ２４Ｖの電源供給が停止され、斜線で示す部分については電源ＯＦＦ状態となる。
【００４１】
即ち、スリープモードにおける画像形成装置１はスキャナ部１０やプリンタ部２０には電源が供給されておらず、コントローラ３０のサブ制御部３２や操作部４０の人体検知部４４など一部のみに電源が供給されている状態となる。
【００４２】
しかしながら、他に操作部４０とスキャナ部１０のみ電力供給が停止されている構成や、消費電力の違うスリープモードを複数設け、一定の時間経過後に各部の電力供給を順次オフにしていく構成などでも良い。即ち、通常消費電力状態から少しでも低い電力状態へ移行する状態のことをスリープモードと言う。
【００４３】
次に、図３に示す処理の説明に戻り、Ｓ１０５おいて、サブ制御部３２はスリープ復帰要求信号を待つが、本実施形態では以下のケース（１）〜（４）の場合に、キー部４２や人体検知部４４などの各モジュールからサブ制御部３２にスリープ復帰要求信号が送出される。
【００４４】
具体的には、（１）操作者によってキー部４２が押下されるか、（２）操作者が近付いたことを人体検知部４４にて検知するか、（３）原稿がセットされたことを原稿検知部１４にて検知するか、（４）ネットワークＩ／Ｆ３４を介してプリントジョブを受信するか等である。
【００４５】
なお、本実施形態ではスリープモードから復帰するケースを上記４つに絞ったが、その他にもＦＡＸ（不図示）ジョブを受信した場合や手差しトレイ（不図示）に原稿がセットされた場合、近距離無線ＩＤカードがカード認証部（不図示）にかざされた場合など種々のケースがあることは言うまでもない。
【００４６】
サブ制御部３２がスリープ復帰要求信号を受信すると、サブ制御部３２は前記スリープ復帰要求信号を発行した要因が画像形成部２２（ジャム発生部）を使用するか否かの判定を行う（Ｓ１０６）。具体的には、スリープ復帰の要因毎に図７に示すように画像読取部１２／画像形成部２２／表示部４３の使用する部分のみを電源ＯＮするようになっており、サブ制御部３２はスリープ移行前に記憶したジャム状態情報に基づき、スリープ復帰の要因が画像形成部を使用するか否かの判定を行う。
【００４７】
次に、復帰要因がプリントジョブ受信、即ち画像形成部２２（ジャム発生部）を使用する要因であった場合、サブ制御部３２は電源制御部３６を制御し、電源供給部６０からコントローラ部のＤＣ１２Ｖ及びプリンタ部２０のＤＣ１２ＶとＤＣ２４Ｖを出力し、メイン制御部３１をはじめプリンタ制御部２１や画像形成部２２に電源を供給する（図８参照）。また同時に、サブ制御部３２は画像形成部２２を使用するスリープ復帰要因を受けたので、プリンタ制御部２１に対して初期化実行信号をアサートする。
【００４８】
ここで、初期化実行信号とはスリープモードから復帰する際に、サブ制御部３２からスキャナ制御部１１及びプリンタ制御部２１に対して各々出力される信号で、該信号がＨｉｇｈにアサートされていると各駆動部の初期化が実行され、Ｌｏｗにディアサートされていると初期化を実行せず、紙ジャムセンサ等の各種センサ部のみＯＮする。
【００４９】
メイン制御部３１に電源が供給されると、メイン制御部３１が起動し、スキャナ制御部１１及びプリンタ制御部２１とネゴシエーションを行い相互通信を確立する。また、プリンタ制御部２１はサブ制御部３２から初期化実行信号のアサートを受けて、画像形成部２２の初期化を実行する（Ｓ１０８）。なお、画像形成部２２の初期化を実行する際に、プリンタ制御部２１はプリンタ紙ジャムセンサ部２３の値を取得し、画像形成部２２のジャム状況を確認する。
【００５０】
次に、復帰要因が原稿検知、即ち画像形成部２２（ジャム発生部）を使用しない要因であった場合、サブ制御部３２は電源制御部３６を制御し、電源供給部６０から全てのＤＣ１２Ｖとスキャナ部１０のＤＣ２４Ｖへの電源供給を開始する。即ち、プリンタ部２０のＤＣ２４Ｖへの電源供給は行わずにスリープモードから復帰する（図９参照）。
【００５１】
また同時に、サブ制御部３２は画像形成部２２を使用しないスリープ復帰要因を受けたので、プリンタ制御部２１に対して初期化実行信号をディアサートする（Ｓ１０９）。次に、プリンタ制御部２１はサブ制御部３２から初期化実行信号のディアサートを受けているため画像形成部２２の初期化は行わず、プリンタ紙ジャムセンサ部２３などセンサ部のみをＯＮし、ジャムの状況を確認する（Ｓ１１０）。そうすることで、プリンタ部２０へのＤＣ２４Ｖが供給されず画像形成部２２の初期化が行われない場合であっても画像形成部２２で発生しているジャムを検知することができる。
【００５２】
また、復帰要因が人体検知等の画像読取部１２も画像形成部２２も使用しない要因であった場合、サブ制御部３２は電源制御部３６を制御し、電源供給部６０からコントローラ３０とプリンタ部２０へのＤＣ１２Ｖの電源供給を開始する。即ち、スキャナ部１０へのＤＣ１２ＶとＤＣ２４Ｖ、プリンタ部２０へのＤＣ２４Ｖの電源供給は行わずにスリープモードから復帰する（図１０参照）。
【００５３】
また同時に、サブ制御部３２は画像形成部２２を使用しないスリープ復帰要因を受けたので、プリンタ制御部２１に対して初期化実行信号をディアサートする（Ｓ１０９）。次に、プリンタ制御部２１はサブ制御部３２から初期化実行信号のディアサートを受けているため画像形成部２２の初期化は行わず、プリンタ紙ジャムセンサ部２３などセンサ部のみをＯＮし、ジャムの状況を確認する（Ｓ１１０）。ここで、図５に示したＳ２０５移行の処理を説明する。
【００５４】
図５の正常状態のフローチャートで、Ｓ２０４で、スリープ復帰要求信号を受信したと判断した場合、復帰要因が画像形成部２２を使用するか否かの判定を行い、復帰要因が画像形成部２２を使用しないと判定された場合（Ｓ２０５）、サブ制御部３２は紙ジャム状態情報から紙ジャムなしの情報を得るため、プリンタ部２０のＤＣ１２ＶとＤＣ２４Ｖの電源供給を行わない（Ｓ２０８）。
【００５５】
さらに、復帰要因が画像読取部１２も使用しない要因で合った場合、サブ制御部３２はコントローラ３０のＤＣ１２Ｖだけ供給を開始し、スキャナ部１０のＤＣ１２ＶとＤＣ２４Ｖへの電源供給も行わない（図１１参照）。即ち、スキャナ部１０とプリンタ部２０はスリープモード状態のままで、コントローラ３０だけが起動している状態であるため、初期化を実施しない限りジャムの検知も行われない。
【００５６】
一方、Ｓ２０５で、復帰要因が画像形成部２２を使用すると判定された場合（Ｓ２０５）、Ｓ２０６で、プリンタ部２０のＤＣ１２ＶとＤＣ２４Ｖへの電源供給を行い、初期化実行信号を朝―とする。そして、Ｓ２０７で、画像形成部２２の初期化を開始する。
【００５７】
次に、図３に示した処理の説明に戻り、Ｓ１１１において、スリープモード中にジャム処理が行われずに画像形成装置１において再度ジャムが検知された場合、メイン制御部３１は表示部４３にジャムが発生している旨を表示し、操作者に再度ジャムが発生していることを警告する表示制御を実行する（Ｓ１１２）。また、Ｓ１１１でジャムが検知されなかった場合、画像形成装置１はＳ１０４で記憶部３５に記憶した中断中のジョブがあれば、メイン制御部３１は記憶部３５から該ジョブを読み出して実行する。
〔第２実施形態〕
【００５８】
上記第１実施形態では消費電力の削減を優先させるため、スリープモードから復帰する際に、復帰要因が使用しない部分については電源供給を停止し、その後、その部分を使うジョブが実行されてから電源投入を行っている。そのため、各駆動部（画像読取部１２及び画像形成部２２）の動作を実行するためには電源投入から各制御部の各種設定を行い、初期化を完了するまで待つ必要があり、スリープモードからの復帰が遅くなってしまう。そこで、本実施形態においては、スリープモードから復帰要因を受けると、全ての電源を供給する点とスキャナ制御部１１及びプリンタ制御部２１が初期化実行信号を受信した時の制御方法が第１の実施形態と異なる。
【００５９】
図１２は、本実施形態を示す画像形成装置の制御方法を説明するフローチャートである。本例は、画像形成部２２においてジャムが発生した場合における電源供給の制御例である。なお、各ステップは、制御プログラムを実行することで実現される。なお、Ｓ３０１〜Ｓ３０５及びＳ３１１〜Ｓ３１２については、図３のＳ１０１〜Ｓ１０５及びＳ１０９〜Ｓ１１０のステップと同様のため、説明を省略する。
【００６０】
Ｓ３０６において、復帰要因が原稿検知、即ち画像読取部１２を使用する復帰要因であった場合、まずサブ制御部３２はスリープ復帰要求信号を受けると、電源制御部３６を制御し、電源供給部６０から全てのＤＣ１２ＶとＤＣ２４Ｖを出力し、画像形成装置１の各部へ電源供給を開始する。
【００６１】
また同時に、サブ制御部３２は画像読取部１２を使用するスリープ復帰要因を受けたので、スキャナ制御部１１に対して初期化実行信号をアサートする。ここで、初期化実行信号とはスリープモードから復帰する際に、サブ制御部３２からスキャナ制御部１１及びプリンタ制御部２１に対して各々出力される信号で、該信号がＨｉｇｈにアサートされていると各駆動部の初期化が実行され、Ｌｏｗにディアサートされている場合、各駆動部は初期化レディ状態で保持される。
【００６２】
さらに、サブ制御部３２はプリンタ制御部２１に対しても初期化実行信号をアサートするが、通常であればスリープ復帰要因が原稿検知の場合は画像形成部２２を使用しないため初期化を実行する必要はない。
【００６３】
しかし、最新のスリープモード移行時にジャム状態でスリープモードに移行した場合は、サブ制御部３２は必ず画像形成部２２を初期化するために、プリンタ制御部２１への初期化実行信号を必ずアサートする（Ｓ３０７）。次に、Ｓ３０８において、メイン制御部３１が起動しスリープモードから復帰すると、スキャナ制御部１１とプリンタ制御部２１は前記初期化実行信号を受けて、画像読取部１２と画像形成部２２を各々初期化する。
【００６４】
Ｓ３０９において、復帰要因がプリントジョブ受信、即ち画像読取部１２を使用しない復帰要因であった場合、まずサブ制御部３２はＳ３０７と同様に電源制御部３６を制御し、電源供給部６０から全てのＤＣ１２ＶとＤＣ２４Ｖを出力し、画像形成装置１の各部へ電源供給を開始する。
【００６５】
また同時に、サブ制御部３２は画像読取部１２を使用しないスリープ復帰要因を受けたので、スキャナ制御部１１に対して初期化実行信号をディアサートし、プリンタ制御部２１に対してはアサートする。尚、復帰要因が人体検知等の画像読取部１２も画像形成部２２も使用しない要因であったとしても、プリンタ制御部２１に対しては必ず初期化実行信号がアサートされるためＳ３０９の処理と同様になる。
【００６６】
次に、Ｓ３１０において、メイン制御部３１が起動しスリープモードから復帰すると、前記初期化実行信号を受けて、スキャナ制御部１１は画像読取部１２の初期化を実行せず、一方、プリンタ制御部２１は画像形成部２２の初期化を実行する。
【００６７】
図１３は、本実施形態を示す画像形成装置の制御方法を説明するフローチャートである。本例は、画像形成部２２においてジャムが発生していない正常な状態な場合における電源供給の制御例である。なお、各ステップは、制御プログラムを実行することで実現される。以下、ジャムが発生していない正常状態について、図１３のフローチャートを用いて説明する。Ｓ４０１〜Ｓ４０４については、図５のＳ２０１〜Ｓ２０４のステップと同様のため、説明を省略する。
【００６８】
まず、Ｓ４０５でサブ制御部３２は復帰要因が画像読取部１２を、Ｓ４０６及びＳ４０７で画像形成部２２を使用するか否かの判定を行う。次に、Ｓ４０５、Ｓ４０６で画像読取部１２および画像形成部２２で両方使用する復帰要因であるとサブ制御部３２が判断した場合、サブ制御部３２は電源制御部３６を制御し、電源供給部６０から全てのＤＣ１２ＶとＤＣ２４Ｖの出力を開始する。
【００６９】
また同時に、サブ制御部３２はスキャナ制御部１１とプリンタ制御部２１に対して初期化実行信号をアサートする（Ｓ４０８）。次に、メイン制御部３１が起動しスリープモードから復帰すると、スキャナ制御部１１とプリンタ制御部２１は前記初期化実行信号を受けて、画像読取部１２と画像形成部２２を各々初期化する（Ｓ４０９）。
【００７０】
一方、Ｓ４０５、Ｓ４０６で画像読取部１２を使用し、画像形成部２２は使用しない復帰要因であると判定された場合、サブ制御部３２は全てのＤＣ１２ＶとＤＣ２４Ｖの出力を開始すると同時に、スキャナ制御部１１に対して初期化実行信号をアサート、プリンタ制御部２１に対して初期化実行信号をディアサートする（Ｓ４１０）。次に、メイン制御部３１が起動しスリープモードから復帰すると、スキャナ制御部１１は前記初期化実行信号を受けて、画像読取部１２を初期化する（Ｓ４１１）。
【００７１】
一方、Ｓ４０５、Ｓ４０６で画像読取部１２は使用せず、画像形成部２２を使用する復帰要因であると判定された場合、サブ制御部３２は全てのＤＣ１２ＶとＤＣ２４Ｖの出力を開始すると同時に、スキャナ制御部１１に対して初期化実行信号をディアサート、プリンタ制御部２１に対して初期化実行信号をアサートする（Ｓ４１２）。次に、メイン制御部３１が起動しスリープモードから復帰すると、プリンタ制御部２１は前記初期化実行信号を受けて、画像形成部２２を初期化する（Ｓ４１３）。
【００７２】
一方、Ｓ４０５、Ｓ４０７で画像読取部１２も画像形成部２２も使用しない復帰要因であると判定された場合、サブ制御部３２は全てのＤＣ１２ＶとＤＣ２４Ｖの出力を開始すると同時に、スキャナ制御部１１とプリンタ制御部２１に対して初期化実行信号をディアサートする（Ｓ４１４）。次に、メイン制御部３１が起動しスリープモードから復帰すると、スキャナ制御部１１及びプリンタ制御部２１は前記初期化実行信号がディアサートのため、初期化は行わず処理を終了する。以上、正常状態において上記処理を実行することで、復帰要因毎に使用するところだけ適切に初期化を実行することができる。
〔第３実施形態〕
【００７３】
図１４は、本実施形態を示す画像形成装置の制御方法を説明するフローチャートである。本例は、画像形成部２２においてジャムが発生した場合における電源供給の制御例である。本実施形態では、スキャナ部１０の画像読取部１２でジャムが発生している点と初期化実行信号を使用しない点が第１実施形態と異なっている。なお、各ステップは、制御プログラムを実行することで実現される。
【００７４】
画像形成装置１が画像読取部１２において画像読取動作を実行中にジャムが発生すると、スキャナ紙ジャムセンサ部１３がジャムを検知し、スキャナ制御部１１を介してメイン制御部３１に紙ジャム発生信号と紙ジャム位置を送信する。メイン制御部３１は前記紙ジャム発生信号を受けると、表示部４３にジャムが発生した旨を警告すると共に、画像読取動作を停止する（Ｓ５０１）。
Ｓ５０２〜Ｓ５０５については、図３のＳ１０２〜Ｓ１０５のステップと同様のため、説明を省略する。
【００７５】
Ｓ５０６において、サブ制御部３２がスリープ復帰要求信号を受信すると、サブ制御部３２は前記スリープ復帰要求信号を発行した要因が画像読取部１２（ジャム発生部）を使用するか否かの判定を行う。復帰要因が原稿検知、即ち画像読取部１２（ジャム発生部）を使用する要因であった場合、サブ制御部３２は電源制御部３６を制御し、電源供給部６０からコントローラ部のＤＣ１２Ｖ及びスキャナ部１０のＤＣ１２ＶとＤＣ２４Ｖを出力し、メイン制御部３１をはじめスキャナ制御部１１や画像読取部１２に電源を供給する（Ｓ５０７、図１５参照）。
【００７６】
また、プリンタ部２０については復帰要因が原稿検知でプリンタ部２０を使用しないため、電源供給は行われない。メイン制御部３１に電源が供給されると、メイン制御部３１の起動が行われ、スキャナ制御部１１はスキャナ部１０のＤＣ２４Ｖの電源が供給されているかの確認を行い（Ｓ５０９）、供給されている場合は、画像読取部１２の初期化を実行する（Ｓ５１０）。
なお、画像読取部１２の初期化を実行する際に、スキャナ制御部１１はスキャナ紙ジャムセンサ部１３の値を取得し、画像読取部１２のジャム状況を確認する。
【００７７】
次に、復帰要因がプリンタ受信、即ち画像読取部１２（ジャム発生部）を使用しない要因であった場合、サブ制御部３２は電源制御部３６を制御し、電源供給部６０から全てのＤＣ１２Ｖとプリンタ部２０のＤＣ２４Ｖへの電源供給を開始する（図１６参照）。つまり画像読取部１２のＤＣ２４Ｖは供給しない（Ｓ５０８）。この時に、スキャナ制御部１１はスキャナ部１０のＤＣ２４Ｖの電源が供給されているかの確認を行い（Ｓ５０９）、供給されていない場合は、画像読取部１２の初期化は行わず、スキャナ紙ジャムセンサ部１３をＯＮし、ジャムの状況を確認する（Ｓ５１１）。そうすることで、スキャナ部１０へのＤＣ２４Ｖが供給されず画像読取部１２の初期化が行われない場合であっても画像読取部１２で発生しているジャムを検知することができる。
【００７８】
また、復帰要因が人体検知等の画像読取部１２も画像形成部２２も使用しない要因であった場合、サブ制御部３２は電源制御部３６を制御し、電源供給部６０からコントローラ３０とスキャナ部１０のＤＣ１２Ｖへの電源供給を開始する。即ち、スキャナ部１０へのＤＣ２４Ｖ、プリンタ部２０へのＤＣ１２ＶとＤＣ２４Ｖの電源供給は行わない（図１７参照）。この時に、スキャナ部１０のＤＣ２４Ｖは電源供給が停止したままの状態のためスキャナ制御部１１は画像読取部１２の初期化は行わず、スキャナ紙ジャムセンサ部１３などセンサ部のみをＯＮし、ジャム発生の状況を確認する（Ｓ５１１）。
最後に、Ｓ５１２〜Ｓ５１３については、図３のＳ１１１〜Ｓ１１２と同様のステップのため、説明を省略する。
【００７９】
また、ジャムが発生していない正常状態については、第１実施形態の正常状態のフローチャート（図５）と初期化実行の判断を初期化実行信号で行うのか、電源（ＤＣ２４Ｖ）で判断するのかの違いのみのため説明を省略する。
尚、本実施形態では紙ジャムエラーが発生した場合について説明したが、これに限らず紙なしやトナー切れ等のエラー発生時の場合でも同様の処理を適応可能であることは言うまでも無い。
上記各実施形態によれば、スリープモードから復帰する際に、最新のスリープモード移行時のエラー情報と復帰要因から異常部を使用するか否かを判定し、使用しないと判定された場合は、異常の検出された部分の駆動部に対しては電源供給を行わず異常センサだけをＯＮにする。そうすることで、該駆動部の初期化を行うことなく、エラー発生を検知することができる。ゆえに、不要な初期化動作をなくすことでき、無駄な消費電流と駆動音を抑えつつ、エラー発生をスリープモードから復帰後すぐに操作者に報知することができる。
【００８０】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００８１】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００８２】
３０              コントローラ
３１              メイン制御部
３２              サブ制御部
３６              電源制御部
４０              操作部
４３              表示部
４４              人体検知部
５０              コンピュータ端末
６０              電源供給部
【図１】
2015152844.tif 000003
【図２】
2015152844.tif 000004
【図３】
2015152844.tif 000005
【図４】
2015152844.tif 000006
【図５】
2015152844.tif 000007
【図６】
2015152844.tif 000008
【図７】
2015152844.tif 000009
【図８】
2015152844.tif 000010
【図９】
2015152844.tif 000011
【図１０】
2015152844.tif 000012
【図１１】
2015152844.tif 000013
【図１２】
2015152844.tif 000014
【図１３】
2015152844.tif 000015
【図１４】
2015152844.tif 000016
【図１５】
2015152844.tif 000017
【図１６】
2015152844.tif 000018
【図１７】
2015152844.tif 000019